【手続補正書】
【提出日】平成26年9月9日(2014.9.9)
【手続補正１】
【補正対象書類名】特許請求の範囲
【補正対象項目名】請求項１
【補正方法】変更
【補正の内容】
【請求項１】
インクジェット方式によって液滴を吐出する複数のノズルが配列された吐出面を有する
複数個のヘッドモジュールと、
前記複数個のヘッドモジュールが装着されるフレーム部材と、
前記フレーム部材に装着された各ヘッドモジュールの位置をそれぞれヘッドモジュール
単位で調整できるヘッドモジュール毎の位置調整機構と、を備え、
前記フレーム部材には、
各ヘッドモジュールのそれぞれの位置を検知する複数個の位置検出手段と、
前記位置検出手段から得られる位置データ及び各ヘッドモジュールの目標位置を示す目標位置データ並びに各ヘッドモジュールの確定させた設定位置データを記憶する記録手段と、
前記位置検出手段から得られる現在の位置データと前記目標位置データから調整対象に係るヘッドモジュールの位置調整に必要な補正量を示す位置調整データを算出する演算手段と、
前記演算手段で算出された位置調整データ及び前記記録手段に記憶されたデータを外部に出力可能なインターフェース手段と、が設けられ、
さらに、前記フレーム部材に設けられる第１の表示手段及び前記インターフェース手段を介して接続される第２の表示手段のうち少なくとも一方の表示手段であって、前記演算手段で算出された前記位置調整データに基づき、前記調整対象に係るヘッドモジュールの位置調整作業を視覚的に誘導する表示を行う表示手段を備え、
前記各ヘッドモジュールには、自身の位置を前記位置検出手段によって検出させる基準点となる基準点部材が設けられるラインヘッド。
【手続補正２】
【補正対象書類名】特許請求の範囲
【補正対象項目名】請求項７
【補正方法】変更
【補正の内容】
【請求項７】
請求項１から６のいずれか１項に記載のラインヘッドにおけるヘッドモジュールの位置調整方法であって、
前記ラインヘッドを構成する前記複数個のヘッドモジュールの位置を特定するための基点を定め、
前記複数個のヘッドモジュールのモジュール配列において前記基点に最も近い端のヘッドモジュールから順に位置調整を行って位置を確定させ、位置を確定させたヘッドモジュールの設定位置から次のヘッドモジュールの目標位置を決定し、以後、順次、確定させた位置から相対的にヘッドモジュールの位置を設定していくヘッドモジュールの位置調整方法。
【手続補正３】
【補正対象書類名】明細書
【補正対象項目名】００４３
【補正方法】変更
【補正の内容】
【００４３】
図１０-Ｅはｘ軸調整用の位置調整機構の構成例を示す斜視図である。ｘ軸方向の位置を調節するための機構（ｘ軸調整機構）２４０は、偏心カム２４２と調整ネジ（不図示）とを含んで構成される。偏心カム２４２は軸２４６を中心に回動自在に支持されている。偏心カム２４２を回転させる調整ネジは、図１０-Ｅに示されていないが、図１０-Ａで説明した構造と同様に、図１０-Ｅの下側から偏心カム２４２の側面に調整ネジ先端部を作用させることができる位置に調整ネジが設けられている。図１０-Ｅにおいて、下から調整ネジを回し、偏心カム２４２を回転させる。偏心カム２４２が回転してカム面（図１０-Ｅにおいて偏心カム２４２の右側に露出する面）でモジュールベースフレーム１６（図１０-Ｅ中図示せず、図８参照）のｘ軸固定ピン（図示せぬｘ軸方向の基準軸となるピン）を押し付ける。
【手続補正４】
【補正対象書類名】明細書
【補正対象項目名】００９５
【補正方法】変更
【補正の内容】
【００９５】
まず、モジュールベースフレーム１６に該当するヘッドモジュール（新しいヘッドモジュール）を取り付ける（ステップＳ１０２）。次に、外部インターフェース部１２８を介して接続した外部装置１５０の入力装置（キーボードやマウスなど）から操作を行い、位置調整モードを稼働させる（ステップＳ１０４）。
【手続補正５】
【補正対象書類名】明細書
【補正対象項目名】０１１５
【補正方法】変更
【補正の内容】
【０１１５】
図２１はヘッドモジュール本体４２の斜視図（一部に断面図を含む図）である。ヘッドモジュール本体４２は、インク滴の吐出口となる複数のノズル４２２（図２１中不図示、図２０参照）が形成された吐出面４２４（図１の符号１４に相当）を有する吐出デバイス基板４３０と、この吐出デバイス基板４３０を保持するハウジング５０とを備える。ヘッドモジュール１２は、吐出デバイス基板４３０における吐出面４２４と反対側（図２１において上側）にインク供給室４５２とインク循環室４５６等からなるインク供給／循環ユニットを有している。ハウジング５０は、内部ハウジング４６０と、その外側を覆う外部ハウジング４６２の二重構造から成り、内部ハウジング４６０の略中央にインク供給室４５２とインク循環室４５６とを隔てる隔壁部材４６４が配置されている。インク供給室４５２は、供給管路（供給用配管４６）を介してインクタンク（不図示）に接続され、インク循環室４５６は、循環管路（回収側配管４８）を介して回収タンク（不図示）に接続される。なお、回収タンクはインク供給用のタンクと同じタンクとすることができる。
【手続補正６】
【補正対象書類名】明細書
【補正対象項目名】０１６２
【補正方法】変更
【補正の内容】
【０１６２】
（第１態様）：インクジェット方式によって液滴を吐出する複数のノズルが配列された吐出面を有する複数個のヘッドモジュールと、複数個のヘッドモジュールが装着されるフレーム部材と、フレーム部材に装着された各ヘッドモジュールの位置をそれぞれヘッドモジュール単位で調整できるヘッドモジュール毎の位置調整機構と、を備え、フレーム部材には、各ヘッドモジュールのそれぞれの位置を検知する複数個の位置検出手段と、位置検出手段から得られる位置データ及び各ヘッドモジュールの目標位置を示す目標位置データ並びに各ヘッドモジュールの確定させた設定位置データを記憶する記録手段と、位置検出手段から得られる現在の位置データと目標位置データから調整対象に係るヘッドモジュールの位置調整に必要な補正量を示す位置調整データを算出する演算手段と、演算手段で算出された位置調整データ及び前記記録手段に記憶されたデータを外部に出力可能なインターフェース手段と、が設けられ、さらに、フレーム部材に設けられる第１の表示手段及びインターフェース手段を介して接続される第２の表示手段のうち少なくとも一方の表示手段であって、演算手段で算出された位置調整データに基づき、調整対象に係るヘッドモジュールの位置調整作業を視覚的に誘導する表示を行う表示手段を備え、各ヘッドモジュールには、自身の位置を位置検出手段によって検出させる基準点となる基準点部材が設けられるラインヘッド。
【手続補正７】
【補正対象書類名】明細書
【補正対象項目名】０１７４
【補正方法】変更
【補正の内容】
【０１７４】
（第７態様）：第１態様から第６態様のいずれか１項に記載のラインヘッドにおけるヘッドモジュールの位置調整方法であって、ラインヘッドを構成する複数個のヘッドモジュールの位置を特定するための基点を定め、複数個のヘッドモジュールのモジュール配列において基点に最も近い端のヘッドモジュールから順に位置調整を行って位置を確定させ、位置を確定させたヘッドモジュールの設定位置から次のヘッドモジュールの目標位置を決定し、以後、順次、確定させた位置から相対的にヘッドモジュールの位置を設定していくヘッドモジュールの位置調整方法。